(57)【要約】【課題】本発明は、特に無線通信床暖房制御システムに関するもので、無線リモコンが正しい設置場所に取り付けられず誤った場所に移動された場合、本来の室温とは全く異なった温度を検知することになり、熱源の暖房温度制御も適切な制御ができなくなってしまうという課題があった。【解決手段】本発明は前記従来の課題を解決するもので、無線床暖房リモコン３の暖房制御手段９が異常な室温を検知した場合、表示器８に警告表示を行い、使用者に正常な取り付け位置への移動を促し快適性を損なわない暖房制御を行うことを目的とする。【選択図】  図１
2004177032.tif 000002
【特許請求の範囲】
【請求項１】
熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサと、所定の室温を所定時間下回ると前記表示器に警告表示を行う又は前記リモコン無線通信手段を介して暖房運転の強制中止を熱源機に指示する又は前記リモコン無線通信手段を介して固定オン・オフサイクルでの暖房制御を熱源機に指示するの少なくとも一つ以上の動作を行う運転制御手段を備えた無線床暖房制御装置。
【請求項２】
熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサと、前記運転制御手段は所定の時間内に所定の室温上昇を検知できない場合、前記表示器に警告表示を行う又は前記リモコン無線通信手段を介して暖房運転の強制中止を熱源機に指示する又は前記リモコン無線通信手段を介して固定オン・オフサイクルでの暖房制御を熱源機に指示するの少なくとも一つ以上の動作を行う運転制御手段を備えた無線床暖房制御装置。
【請求項３】
熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサを備え、前記無線床暖房リモコンは壁面への取り付け板に挿入され、前記取り付け板と無線床暖房リモコンは接続線で結線された無線床暖房制御装置。
【請求項４】
熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサを備え、前記無線床暖房リモコンは前記取り付け板に挿入されているか取り外されているかを検知する判定スイッチを備え、取り付け板から取り外された場合は前記表示器に警告表示を行う又は前記リモコン無線通信手段を介して暖房運転の強制中止を熱源機に指示する又は前記リモコン無線通信手段を介して固定オン・オフサイクルでの暖房制御を熱源機に指示するの少なくとも一つ以上の動作を行う運転制御手段を備えた無線床暖房制御装置。
【発明の詳細な説明】
【０００１】
【発明の属する技術分野】
本発明は、特に無線通信床暖房制御システムに関するものである。
【０００２】
【従来の技術】
従来の無線床暖房制御システムは、室温を適切な温度に保つ為に室温センサを搭載していた。またこの室温センサを試運転時は床暖用放熱パネルと無線床暖房リモコンの組み合わせを確定させるために使用しているものもある（例えば、特許文献１参照）。
【０００３】
【特許文献１】
特開２０００−１１１０６４号公報（第３−６ページ、図２）
【０００４】
【発明が解決しようとする課題】
しかしながら、前記従来の構成では、無線リモコンが床暖放熱パネル上の壁面に正しく取りつけられれば問題ないが、無線式であるため容易にリモコンが持ち運べるため、テーブルの上に置いたり、床暖用放熱パネルの設置されていない場所に誤ってリモコンだけを移動させてしまうことが考えられる。この時室温センサの検知温度は本来の室温とは全く異なった温度を検知することになり、熱源の暖房温度制御も適切な制御ができなくなってしまう。仮に寒い部屋にリモコンだけを持ち運んだ場合は、熱源へは暖房能力を上げるようリモコンから指示が行く。
【０００５】
このため床暖用放熱パネルの設置されている部屋では室温や放熱パネル温度がさらに上昇し、快適性が損なわれる。
【０００６】
本発明は前記従来の課題を解決するもので、無線床暖房リモコンが異常な室温を検知した場合に警告表示を行い、使用者に正常な取り付け位置への移動を促し快適性を損なわない暖房制御を行うことを目的とする。
【０００７】
【課題を解決するための手段】
本発明は上記課題を解決するために、熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサと、所定の室温を所定時間下回ると前記表示器に警告表示を行う又は前記リモコン無線通信手段を介して暖房運転の強制中止を熱源機に指示する又は前記リモコン無線通信手段を介して固定オン・オフサイクルでの暖房制御を熱源機に指示するの少なくとも一つ以上の動作を行う運転制御手段を備え、無線床暖房リモコンが室温センサにより所定時間、室温が正常でないことを検知した場合、リモコン表示器に警告表示を行い使用者に注意を促す等の効果をもつものである。
【０００８】
【発明の実施の形態】
請求項１に記載の発明は、熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサと、所定の室温を所定時間下回ると前記表示器に警告表示を行う又は前記リモコン無線通信手段を介して暖房運転の強制中止を熱源機に指示する又は前記リモコン無線通信手段を介して固定オン・オフサイクルでの暖房制御を熱源機に指示するの少なくとも一つ以上の動作を行う運転制御手段を備えたものである。
【０００９】
これにより、運転制御手段は所定の室温を所定時間下回ると、リモコン表示器に警告表示を行い、使用者にリモコン設置場所の注意を促すものである。
【００１０】
また、運転制御手段は所定の室温を所定時間下回ると、前記リモコン無線通信手段を介して暖房運転の強制中止を熱源機に指示する機能を有し、室温と放熱パネル温度の上昇を未然に防ぐものである。
【００１１】
また、前記運転制御手段は所定の室温を所定時間下回ると、前記リモコン無線通信手段を介して固定オン・オフサイクルでの暖房制御を熱源機に指示する機能を有し、快適性を損ねない暖房制御を行うものである。
【００１２】
請求項２に記載の発明は、熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサと、前記運転制御手段は所定の時間内に所定の室温上昇を検知できない場合、前記表示器に警告表示を行う又は前記リモコン無線通信手段を介して暖房運転の強制中止を熱源機に指示する又は前記リモコン無線通信手段を介して固定オン・オフサイクルでの暖房制御を熱源機に指示するの少なくとも一つ以上の動作を行う運転制御手段を備えたものであり、前記運転制御手段は所定の時間内に所定の室温上昇を検知できない場合、前記表示器に警告表示を行い使用者にリモコン設置場所の注意を促すものである。
【００１３】
また、運転制御手段は所定の時間内に所定の室温上昇を検知できない場合、前記リモコン無線通信手段を介して暖房運転の強制中止を熱源機に指示する機能を有し室温と放熱パネル温度の上昇を未然に防ぐものである。
【００１４】
また、前記運転制御手段は所定の時間内に所定の室温上昇を検知できない場合、前記リモコン無線通信手段を介して固定オン・オフサイクルでの暖房制御を熱源機に指示する機能を有し快適性を損ねない暖房制御を行うものである。
【００１５】
請求項３に記載の発明は、熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサを備え、前記無線床暖房リモコンは壁面への取り付け板に挿入され、前記取り付け板と無線床暖房リモコンは接続線で結線された構成により、容易に正常な設置場所からリモコンを移動できないようにするものである。
【００１６】
請求項４に記載の発明は、熱源機と、床に設置された複数個の床暖用放熱パネルと、無線床暖房リモコンから構成され、前記熱源機は、前記放熱パネルに温水を循環供給する熱源制御手段と、無線床暖房リモコンとの無線通信を行う無線通信手段とを備え、前記無線床暖房リモコンは表示器と、前記熱源機と無線通信を行うリモコン無線通信手段と、前記熱源機に暖房運転指示をする運転スイッチと、室温設定手段と、室温を計測する室温センサを備え、前記無線床暖房リモコンは前記取り付け板に挿入されているか取り外されているかを検知する判定スイッチを備え、取り付け板から取り外された場合は前記表示器に警告表示を行う又は前記リモコン無線通信手段を介して暖房運転の強制中止を熱源機に指示する又は前記リモコン無線通信手段を介して固定オン・オフサイクルでの暖房制御を熱源機に指示するの少なくとも一つ以上の動作を行う運転制御手段を備えたものである。
【００１７】
これによって、前記無線床暖房リモコンは前記取り付け板に挿入されているか取り外されているかを検知する判定スイッチを備え、取り付け板から取り外された場合は前記表示器に警告表示を行う運転制御手段を有する構成により、使用者にリモコン設置場所の注意を促すものである。
【００１８】
また、前記無線床暖房リモコンは前記取り付け板に挿入されているか取り外されているかを検知する判定スイッチを備え、取り付け板から取り外された場合は前記リモコン無線通信手段を介して暖房運転の強制中止を熱源機に指示することにより室温と放熱パネル温度の上昇を未然に防ぐものである。
【００１９】
また、前記無線床暖房リモコンは前記取り付け板に挿入されているか取り外されているかを検知する判定スイッチを備え、取り付け板から取り外された場合は前記リモコン無線通信手段を介して固定オン・オフサイクルでの暖房制御を熱源機に指示することにより快適性を損ねない暖房制御を行うものである。
【００２０】
【実施例】
以下、本発明の実施例について図面を参照して説明する。
【００２１】
（実施例１）
図１は、本発明の一実施例としての無線床暖房制御装置である。
【００２２】
図１に基づいて、まず床暖放熱パネルの制御方法について説明する。
【００２３】
１は熱源機、２はリビングルームやダイニングルームに敷設される床暖放熱パネルであり、３は無線床暖房リモコンである。無線床暖房リモコンでは運転スイッチ７を操作すると、運転制御手段９を介してリモコン無線通信手段１０に運転要求が指示される。熱源機１にある無線通信手段６は無線床暖房リモコンのリモコン無線通信手段１０から運転要求信号を受けると、熱源制御手段４に運転要求信号を送る。熱源制御手段４は運転要求信号を受けると、該当する床暖放熱パネルの開閉部５を開け、温水を供給することで放熱パネルを暖め、暖房運転を行う。
【００２４】
また、無線床暖房リモコン３には室温センサ１２と室温設定手段１１があり、運転制御手段９は室温と室温設定を比較して運転要求信号のオンオフＤＵＴＹを変更し、室温を一定に保つ機能を持つ。
【００２５】
図２は第１の実施例における動作タイミング図である。
【００２６】
縦軸は室温Ｔｒ、横軸は時間ｔの経過を示す。運転スイッチ７をＯＮすると（Ｐ１）、運転制御手段９は室温の正常判定しきい値（Ｔ１）と現在の室温との比較を開始する。無線床暖房リモコンが正常な位置に設置されていれば、運転開始後ある勾配で室温が上昇していくはずであるが、一定時間（ｔ１）経過したＰ２のポイントでしきい値Ｔ１に室温が達していない時は取り付け位置の異常があると判断し、表示器８にエラーコード７６４を表示し使用者に異常状態を報知し使用者に注意を促す（Ｐ２）。
【００２７】
尚、実施例では表示器にエラー表示を行うものであるが、表示の代りにブザーや音声による異常状態報知を行っても同様の効果が得られる。
【００２８】
（実施例２）
第２の実施例では図２のＰ２のタイミングでエラー表示のみではなく、運転制御手段９がリモコン無線通信手段１０を介して熱源１に運転停止の指示をする。
【００２９】
これにより室温と放熱パネル温度の上昇を未然に防ぐことができる。
【００３０】
（実施例３）
（表１）は第３の実施例におけるオンオフＤＵＴＹ制御の一覧表である。
【００３１】
【表１】
2004177032.tif 000003
【００３２】
運転制御手段９は室温Ｔｒと室温設定Ｔｓの差より熱源に対して運転要求のオン、オフＤＵＴＹを変更する。例えば表のＡの行ではＴｒ−Ｔｓが＋１以上、つまり設定以上に室温が上昇している状態である。この場合暖房オン時間（ｔｏｎ）は３分、オフ時間（ｔｏｆｆ）は１７分となり合計２０分のサイクルを繰り返しで運転制御を行う。Ｂ〜Ｅも同様の考え方であり、室温設定に室温が到達していない程オン時間は長くオフ時間は短くなりトータルの周期は２０分固定とし、オンオフＤＵＴＹを変化させることで室温制御を行っている。
【００３３】
図３は第３の実施例におけるタイミングチャートである。
【００３４】
Ｐ１のタイミングで運転スイッチをオンすると、その時点での室温Ｔｒと室温設定Ｔｓの差によってオンオフサイクルが決定される。例えばＴｒ−Ｔｓ＝−３であった場合は（表１）よりＥの行が選択されｔｏｎ＝１８分、ｔｏｆｆ＝２分となる。この後２０分経過後のＰ１１で再びオンオフサイクルを更新する。
【００３５】
第１の実施例で述べたようにｔ１時間経過後、室温がしきい値Ｔ１を超えない場合はＰ２のタイミングで固定サイクルの運転に切り換える。例ではＰ２のタイミングでＴｒ−Ｔｓ＝−３なので通常であればｔｏｎ＝１８分となるはずであるが、ｔｏｎ＝３分として床暖パネルや室温の異常な上昇を防ぐことができる。
【００３６】
以上のように快適性を損ねない暖房制御を行うものである。
【００３７】
尚、実施例では暖房オン、オフＤＵＴＹはリモコンの運転制御手段９が決定するとしているが、運転制御手段９が温度設定と現在の室温を熱源１に送り、熱源制御手段４がオンオフＤＵＴＹを決定する構成としても良い。
【００３８】
（実施例４）
図４は第４の実施例における動作タイミング図である。
【００３９】
縦軸は室温Ｔｒ、横軸は時間ｔの経過を示す。運転スイッチ７をＯＮすると（Ｐ３）、運転制御手段９は室温の温度上昇勾配のチェックを開始する。リモコンが正常な位置に設置されていれば、運転開始後ｔ２時間内に室温はＴ２からＴ３まで上昇するはずである（Ｌ１）。一定時間（ｔ２）経過したＰ２のポイントでしきい値Ｔ３に室温が達していない時は取り付け位置の異常があると判断し、表示器８にエラーコード７６４を表示し使用者に異常状態を報知し使用者に注意を促す（Ｐ４）。
【００４０】
尚、実施例では表示器にエラー表示を行うものであるが、表示の代りにブザーや音声による異常状態報知を行っても同様の効果が得られる。
【００４１】
尚、運転制御手段９は上記条件に加えて実施例１で説明したように所定の室温を所定時間下回ると異常であると判定条件を追加しても良い。
【００４２】
（実施例５）
第５の実施例では図４のＰ４のタイミングでエラー表示のみではなく、運転制御手段９がリモコン無線通信手段１０を介して熱源１に運転停止の指示をする。これにより室温と放熱パネル温度の上昇を未然に防ぐことができる。
【００４３】
（実施例６）
図５は第６の実施例におけるタイミングチャートである。
【００４４】
Ｐ３のタイミングで運転スイッチをオンすると、その時点での室温Ｔｒと室温設定Ｔｓの差によってオンオフサイクルが決定される。例えばＴｒ−Ｔｓ＝−３であった場合は（表１）よりＥの行が選択されｔｏｎ＝１８分、ｔｏｆｆ＝２分となる。この後２０分経過後のＰ３１で再びオンオフサイクルを更新する。
【００４５】
第４の実施例で述べたようにｔ２時間経過後、室温がしきい値Ｔ３を超えない場合は所定時間ｔ２内に所定の温度上昇を検知できないのでＰ４のタイミングで固定サイクルの運転に切り換える。例ではＰ４のタイミングでＴｒ−Ｔｓ＝−３なので通常であればｔｏｎ＝１８分となるはずであるが、ｔｏｎ＝３分として床暖パネルや室温の異常な上昇を防ぐことができる。
【００４６】
以上のように快適性を損ねない暖房制御を行うものである。
【００４７】
尚、実施例では暖房オン、オフＤＵＴＹはリモコンの運転制御手段９が決定するとしているが、運転制御手段９が温度設定と現在の室温を熱源１に送り、熱源制御手段４がオンオフＤＵＴＹを決定する構成としても良い。
【００４８】
（実施例７）
図６は第７の実施例における構成図である。無線床暖房リモコン３は通常では取り付け板１４に挿入されている。また無線床暖房リモコン３と取り付け板１４はチェーン等の接続線１５でつながれており、リモコンの電池を交換する場合等で取り付け板から外す必要がある場合でも接続線１５の延長範囲でしか持ち運ぶことができないようになっている。このような構成により誤ってリモコンを室温の検知できない所へ持っていく可能性がなくなり、快適な暖房制御を継続することができる。
【００４９】
（実施例８）
図１及び図６に示すように無線床暖房リモコン３には判定スイッチ１３がある。このスイッチはリモコン背面に取り付けられており、リモコンが取り付け板１４に挿入されている時はスイッチがオンし、取り付け板から外されるとスイッチがオフする構成である。運転制御手段９はリモコンが取り付け板から外されたことを判定スイッチ１３の信号により検知し、表示器８にエラーコード７６４を表示することで使用者にリモコン設置場所の注意を促すものである。
【００５０】
尚、実施例では表示器にエラー表示を行うものであるが、表示の代りにブザーや音声による異常状態報知を行っても同様の効果が得られる。
【００５１】
（実施例９）
実施例９では運転制御手段９は先述した実施例８のようにエラーコード７６４を表示するだけでなく、リモコン無線通信手段１０を介して熱源１に運転停止の指示をする。これにより室温と放熱パネル温度の上昇を未然に防ぐことができる。
【００５２】
（実施例１０）
図７は第１０の実施例におけるタイミングチャートである。
【００５３】
Ｐ５のタイミングで運転スイッチをオンすると、その時点での室温Ｔｒと室温設定Ｔｓの差によってオンオフサイクルが決定される。例えばＴｒ−Ｔｓ＝−３であった場合は（表１）よりＥの行が選択されｔｏｎ＝１８分、ｔｏｆｆ＝２分となる。この後２０分経過後のＰ１１で再びオンオフサイクルを更新する。
【００５４】
次にＰ７で無線床暖房リモコンが取り付け台から外され判定スイッチ１３がオフした場合、運転制御手段９は次のオンオフＤＵＴＹ開始時点（Ｐ８）からｔｏｎ＝３分の固定サイクル運転に移行する。
【００５５】
以上のように快適性を損ねない暖房制御を行うものである。
【００５６】
尚、実施例では暖房オン、オフＤＵＴＹはリモコンの運転制御手段９が決定するとしているが、運転制御手段９が温度設定と現在の室温を熱源１に送り、熱源制御手段４がオンオフＤＵＴＹを決定する構成としても良い。
【００５７】
【発明の効果】
以上の説明から明らかなように、本発明による無線床暖房制御装置は無線床暖房リモコンが室温センサにより所定時間、室温が正常でないことを検知した場合、リモコン表示器に警告表示を行い使用者にリモコンが正しく設置されているか注意を促すものである。
【図面の簡単な説明】
【図１】本発明の実施例１、８における無線床暖房制御装置のブロック図
【図２】本発明の実施例１、２における動作タイミング図
【図３】本発明の実施例３におけるタイミングチャート
【図４】本発明の実施例４、５における動作タイミング図
【図５】本発明の実施例６におけるタイミングチャート
【図６】本発明の実施例７、８における構成図
【図７】本発明の実施例１０におけるタイミングチャート
【符号の説明】
１  熱源機
２  床暖放熱パネル
３  無線床暖房リモコン
４  熱源制御手段
６  無線通信手段
７  運転スイッチ
８  表示器
９  運転制御手段
１０  リモコン無線通信手段
１１  室温設定手段
１２  室温センサ
１３  判定スイッチ
１４  取り付け板
１５  接続線
【図１】
2004177032.tif 000004
【図２】
2004177032.tif 000005
【図３】
2004177032.tif 000006
【図４】
2004177032.tif 000007
【図５】
2004177032.tif 000008
【図６】
2004177032.tif 000009
【図７】
2004177032.tif 000010